Podtech/llm-jp-corpus-v4-ja_patent huggingface dataset:
【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
関節炎もしくは軟骨変性を予防または処置するための組成物であって、有効量の、以下からなる群：
（ａ）配列番号２、配列番号６、配列番号８、配列番号１０、配列番号１２、配列番号１４、配列番号１６、配列番号１８、配列番号２０、配列番号２４、配列番号３６、配列番号３７、配列番号３８、配列番号３９、配列番号４０のアミノ酸配列を含むタンパク質；
（ｂ）配列番号２のアミノ酸２〜２１１または３〜２１１を含むタンパク質；
（ｃ）（ａ）もしくは（ｂ）のタンパク質に対して１または数個の保存的アミノ酸置換を有するタンパク質；および
（ｄ）細胞増殖刺激活性を保持する、（ａ）もしくは（ｂ）のタンパク質のフラグメント、
より選択される単離されたタンパク質を含む、組成物。
【請求項２】
対象におけるマトリクスメタロプロテイナーゼ産生を減少させるための組成物であって、有効量の、以下からなる群：
（ａ）配列番号２、配列番号６、配列番号８、配列番号１０、配列番号１２、配列番号１４、配列番号１６、配列番号１８、配列番号２０、配列番号２４、配列番号３６、配列番号３７、配列番号３８、配列番号３９、もしくは配列番号４０のアミノ酸配列を含むタンパク質；
（ｂ）配列番号２のアミノ酸２〜２１１または３〜２１１を含むタンパク質；
（ｃ）（ａ）もしくは（ｂ）のタンパク質に対して１または数個の保存的アミノ酸置換を有するタンパク質；および
（ｄ）細胞増殖刺激活性を保持する、（ａ）もしくは（ｂ）のタンパク質のフラグメント、
より選択される単離されたタンパク質を含む、組成物。
【請求項３】
軟骨再生もしくは軟骨修復を刺激するための組成物であって、有効量の、以下からなる群：
（ａ）配列番号２、配列番号６、配列番号８、配列番号１０、配列番号１２、配列番号１４、配列番号１６、配列番号１８、配列番号２０、配列番号２４、配列番号３６、配列番号３７、配列番号３８、配列番号３９、もしくは配列番号４０のアミノ酸配列を含むタンパク質；
（ｂ）配列番号２のアミノ酸２〜２１１または３〜２１１を含むタンパク質；
（ｃ）（ａ）もしくは（ｂ）のタンパク質に対して１または数個の保存的アミノ酸置換を有するタンパク質；および
（ｄ）細胞増殖刺激活性を保持する、（ａ）もしくは（ｂ）のタンパク質のフラグメント、
より選択される単離されたタンパク質を、投与に適しているように含む、組成物。
【請求項４】
脳卒中もしくは神経変性疾患を予防もしくは処置するための組成物であって、有効量の、配列番号２のアミノ酸３〜２１１、配列番号６、配列番号８、配列番号１０、配列番号１２、配列番号１４、配列番号１６、配列番号１８、配列番号２０、配列番号２４、配列番号３６、配列番号３７、配列番号３８、配列番号３９、もしくは配列番号４０のアミノ酸配列を含む、組成物。
【請求項５】
関節炎を予防もしくは処置するための組成物であって、有効量の、配列番号２のアミノ酸３〜２１１を含む単離されたタンパク質を含む、組成物。
【請求項６】
前記組成物は、配列番号２のアミノ酸２〜２１１、配列番号２、配列番号３７、配列番号３８、配列番号３９および配列番号４０からなる群より選択されるアミノ酸配列をふくむ単離されたタンパク質を含む、請求項５に記載の組成物。
【請求項７】
前記関節炎は、骨関節炎もしくは関節リウマチである、請求項５に記載の組成物。
【請求項８】
前記組成物は、薬学的に受容可能な担体をさらに含む、請求項１、４、または５のいずれかに記載の組成物。
【請求項９】
前記単離されたタンパク質は、２種以上のタンパク質を含む、請求項１または４のいずれかに記載の組成物。
【請求項１０】
前記タンパク質は、配列番号２、配列番号３７、配列番号３８、配列番号３９、および配列番号４０、配列番号２のアミノ酸２〜２１１ならびに配列番号２のアミノ酸３〜２１１からなる群より選択されるアミノ酸配列を含む、請求項９に記載の組成物。
【請求項１１】
前記組成物は、非経口投与に適している、請求項１、４または５のいずれかに記載の組成物。
【請求項１２】
前記組成物は静脈内投与に適している、請求項１１に記載の組成物。
【請求項１３】
前記組成物は皮下投与に適している、請求項１１に記載の組成物。
【請求項１４】
前記組成物は経皮投与に適している、請求項１、４または５のいずれかに記載の組成物。
【請求項１５】
前記組成物は経粘膜投与に適している、請求項１、４または５のいずれかに記載の組成物。
【請求項１６】
前記組成物は鼻腔内投与に適している、請求項１５に記載の組成物。
【請求項１７】
以下からなる群：
（ａ）配列番号３７、配列番号３８、配列番号３９、および配列番号４０、ならびに配列番号２のアミノ酸３〜２１１からなる群より選択されるアミノ酸配列を含むタンパク質をコードする核酸分子；
（ｂ）細胞増殖刺激活性を保持するタンパク質をコードする、（ａ）の核酸分子のフラグメント
配列番号２のアミノ酸２〜２１１または３〜２１１を含むタンパク質；
（ｃ）（ａ）もしくは（ｂ）のタンパク質の相補体、
より選択される単離された核酸分子。
【請求項１８】
請求項１７に記載の核酸分子を含む、ベクター。
【請求項１９】
前記核酸分子は、発現制御配列に作動可能に連結されている、請求項１８に記載のベクター。
【請求項２０】
請求項１７に記載の核酸分子を含む、原核生物細胞または真核生物細胞。
【請求項２１】
請求項１８に記載のベクターを含む、原核生物細胞または真核生物細胞。
【請求項２２】
適切な栄養培地中で請求項１８に記載の宿主細胞を培養する工程を包含する、方法。
【請求項２３】
前記宿主細胞はＥ．ｃｏｌｉである、請求項２２に記載の方法。
【請求項２４】
前記培養された細胞もしくは前記栄養培地から、前記核酸分子によってコードされるタンパク質を単離する工程をさらに包含する、請求項２２に記載の方法。
【請求項２５】
請求項２４に記載の方法による、単離されたタンパク質。
【請求項２６】
以下からなる群：
（ａ）配列番号３７、配列番号３８、配列番号３９、もしくは配列番号４０のアミノ酸配列をふくむタンパク質；
（ｂ）配列番号２のアミノ酸３〜２１１からなるタンパク質；
（ｃ）（ａ）もしくは（ｂ）に対して１または数個の保存的アミノ酸置換を有するタンパク質；および
（ｄ）細胞増殖刺激活性を保持する、（ａ）〜（ｃ）のタンパク質のフラグメント、
より選択される、単離されたタンパク質。
【請求項２７】
薬学的に受容可能な担体、および請求項２６に記載のタンパク質を含む、薬学的組成物。
【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
インビボで哺乳動物細胞上のＯｖｒ１１５に結合する、単離されたＯｖｒ１１５抗体。
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
式（Ｉ）の化合物：
【化１】
2007516206.tif 000001
式中
ｎは１、２または３である；
Ｒ１は、水素、ハロゲン、−ＯＨ、−ＯＲ６、ＮＲ６Ｒ７、−ＣＮ、−ＣＯＲ６、−ＣＯＯＲ６、−ＣＯＮＲ６Ｒ７、ペルフルオロアルキル、Ｃ１−Ｃ６アルキル、シクロアルキル、複素環、アルケニル、アルキニル、アリール、およびヘテロアリールから成る群より選択され、式中、Ｒ１のＣ１−Ｃ６アルキル、シクロアルキル、複素環、アルケニル、アルキニル、アリール、またはヘテロアリールは、所望によりそして独立して、ハロゲン、−ＯＨ、−ＯＲ６、−ＣＯＲ７、−ＣＯＮＲ６Ｒ７、−ＣＯＯＲ６、−ＮＲ６Ｒ７、−ＣＮ、−ＮＯ２、−Ｓ（Ｏ）ｍＲ６、（ｍ＝０、１または２）、−Ｓ（Ｏ２）ＮＲ６Ｒ７、−ＮＲ６Ｒ７、ペルフルオロアルキル、Ｃ１−Ｃ６アルキル、シクロアルキル、複素環、Ｃ１−Ｃ６アルケニル、Ｃ１−Ｃ６アルキニル、アリール、ヘテロアリール、−ＮＲ６ＯＮＲ６Ｒ７、−ＮＲ６ＯＲ７または−ＮＲ６Ｓ（Ｏ２）Ｒ７で置換されていてよい；
Ｒ２は、水素、−ＯＨ、ハロゲン、Ｃ１−Ｃ６アルキル、−ＯＲ８、ＮＲ８Ｒ９、−ＣＮ、−ＣＯＲ８、−ＣＯＯＲ９、−ＣＯＮＲ８Ｒ９、およびペルフルオロアルキルから成る群より選択される、
各Ｒ３およびＲ４は独立して、水素、ハロゲン、−ＯＨ、−ＯＲ６、−ＮＲ６Ｒ７、−ＣＮ、−ＣＯＲ６、−ＣＯＯＲ６、−ＣＯＮＲ６Ｒ７、−ＮＲ６Ｒ７、ペルフルオロアルキル、Ｃ１−Ｃ６アルキル、アリール、シクロアリール、複素環およびヘテロアリールから成る群より選択される；
Ｒ５は芳香環または複素芳香環であり、その場合Ｒ５は所望により、１つまたはそれより多くの位置でハロゲン、−ＯＨ、−ＯＲ６、−ＣＯＲ７、−ＣＯＮＲ６Ｒ７、−ＣＯＯＲ６、−ＮＲ６Ｒ７、−ＣＮ、−ＮＯ２、−Ｓ（Ｏ）ｍＲ６、（ｍ＝０、１または２）、−Ｓ（Ｏ２）ＮＲ６Ｒ７、−ＮＲ６Ｒ７、ペルフルオロアルキルまたはＣ１−Ｃ６アルキルで置換されている；
各Ｒ６およびＲ７は独立して、水素、Ｃ１−Ｃ６アルキル、シクロアルキル、複素環式、アルケニル、アルキニル、アリール、アミノアルキル、アルキルアミノアルキル、またはジアルキルアミノアルキルである；そして
各Ｒ８およびＲ９は独立して、水素またはＣ１−Ｃ６アルキルである；あるいは
医薬的に受容可能なその塩。
【請求項２】
Ｒ１がアリールまたはヘテロアリールであり、その場合アリールまたはヘテロアリールが所望により、１つまたはそれより多くの位置でハロゲン、−ＯＨ、−ＯＲ６、−ＣＯＲ７、−ＣＯＮＲ６Ｒ７、−ＣＯＯＲ６、−ＮＲ６Ｒ７、−ＣＮ、−ＮＯ２、−Ｓ（Ｏ）ｍＲ６、（ｍ＝０、１または２）、−Ｓ（Ｏ２）ＮＲ６Ｒ７Ｓ、−ＮＲ６Ｒ７、ペルフルオロアルキル、Ｃ１−Ｃ６アルキル、シクロアルキル、複素環、Ｃ１−Ｃ６アルケニル、Ｃ１−Ｃ６アルキニル、アリール、ヘテロアリール、−ＮＲ６ＯＮＲ６Ｒ７、−ＮＲ６ＯＲ７または−ＮＲ６Ｓ（Ｏ２）Ｒ７で置換されている、請求項１に記載の化合物。
【請求項３】
アリールまたはヘテロアリールが５員環または６員環である、請求項１に記載の化合物。
【請求項４】
Ｒ２がＨまたはＣ１−Ｃ４アルキルである、請求項１に記載の化合物。
【請求項５】
Ｒ２がＨである、請求項４に記載の化合物。
【請求項６】
Ｒ５が６員のアリール環またはヘテロアリール環であり、その場合６員ヘテロアリール環が、Ｓ、ＯまたはＮから成る群より選択される１つまたはそれより多くのヘテロ原子を含有する、請求項１に記載の化合物。
【請求項７】
６員ヘテロアリール環が１つの窒素を含有する、請求項１に記載の化合物。
【請求項８】
Ｒ５が、ピラニル、ピリジル、ピラジニル、ピリミジニル、またはピリダジニルである、６員ヘテロアリール環である請求項６に記載の化合物。
【請求項９】
Ｒ５がフェニルであり、所望によりヒドロキシまたはハロで置換されている、請求項５に記載の化合物。
【請求項１０】
ｎが１または２である、請求項１に記載の化合物。
【請求項１１】
ｎが１であり、各Ｒ３がＨであり、Ｒ４がＨである、請求項１に記載の化合物。
【請求項１２】
以下から成る群：
【化２】
2007516206.tif 000002
より選択される化合物、または医薬的に受容可能なその塩。
【請求項１３】
請求項１に記載の化合物、または医薬的に受容可能なその塩、および医薬的に受容可能な担体を包含する、医薬的に受容可能な組成物。
【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2007516205.tif 000001
の化合物およびその医薬的に許容し得る塩。
［式中、
Ｚは、式：
【化２】
2007516205.tif 000002
であり；
Ｑは、
【化３】
2007516205.tif 000003
からなる群から選ばれ；
Ｒ１は、水素であり；
Ｒ２、Ｒ３、Ｒ４およびＲ５は独立して、水素、ハロゲン、シアノ、ＣＯＯＲ８、ＸＲ９およびＢからなる群から選ばれ；
ｍは、２であり；
Ｒ６は、Ｏであるかまたは存在せず；
Ｒ７は、水素であり；
Ｒ１０は、(Ｃ１〜６)アルキル、−ＣＨ２ＣＮ、−ＣＨ２ＣＯＯＨ、−ＣＨ２Ｃ(Ｏ)ＮＲ１１Ｒ１２、フェニルおよびピリジニルからなる群から選ばれ；
Ｒ１１およびＲ１２は各々独立して、Ｈまたは(Ｃ１〜３)アルキルであり；
- -は、炭素−炭素結合であり；
Ａは、シンノリニル、ナフチリジニル、キノキサリニル、ピリジニル、ピリミジニル、キノリニル、イソキノリニル、キナゾリニル、アザベンゾフリル、およびフタラジニルからなる群から選ばれ、これらの各々は場合により、メチル、メトキシ、ヒドロキシ、アミノまたはハロゲンから独立して選ばれる１または２個の基で置換され得て；
−Ｗ−は、式：
【化４】
2007516205.tif 000004
であり；
Ｒ１５、Ｒ１６、Ｒ１７、Ｒ１８、Ｒ１９、Ｒ２０、Ｒ２１、Ｒ２２は各々独立してＨであるかあるいはそれらの１つはメチルであり；
Ｂは、Ｃ(Ｏ)ＮＲ１１Ｒ１２、Ｃ(＝ＮＨ)ＮＨＮＨＣ(Ｏ)−Ｒ１０、Ｃ(＝ＮＨ)シクロプロピル、Ｃ(＝ＮＯＨ)ＮＨ２、およびヘテロアリールからなる群から選ばれ、ここで、該ヘテロアリールは独立して場合によりＦから選ばれる置換基で置換され；
ヘテロアリールは、ピリジニル、ピラジニル、ピリミジニル、チアゾリル、ピロリル、イミダゾリル、ベンゾイミダゾリル、オキサジアゾリル、ピラゾリル、テトラゾリル、およびトリアゾリルからなる群から選ばれ；
Ｆは、(Ｃ１〜６)アルキル、(Ｃ１〜６)アルコキシ、シアノ、ＣＯＯＲ８、−ＣＯＮＲ１１Ｒ１２、−ＣＨ２ＣＮ、−ＣＨ２ＣＯＯＨ、−ＣＨ２Ｃ(Ｏ)ＮＲ１１Ｒ１２、フェニル、およびピリジニルからなる群から選ばれ；
Ｒ８およびＲ９は独立して、水素および(Ｃ１〜６)アルキルからなる群から選ばれ；
Ｘは、Ｏであり;
但し、
Ａがピリジニルまたはピリミジニルであって、Ｑが式：
【化５】
2007516205.tif 000005
である場合には、Ｒ５はＢである］
【請求項２】
Ｒ１５、Ｒ１６、Ｒ１７、Ｒ１８、Ｒ１９、Ｒ２０、Ｒ２１、Ｒ２２は、Ｈであり；
Ｒ６は、存在せず；
Ａは、式：
【化６】
2007516205.tif 000006
からなる群の要素から選ばれ；ここで、
Ｘｗは結合位置であり、そして各要素は独立して、場合によりメチル、メトキシ、ヒドロキシ、アミン、およびハロゲンからなる群から選ばれる１個の基で置換され；
Ｑは、式：
【化７】
2007516205.tif 000007
からなる群から選ばれ；
但し、
Ｑが式：
【化８】
2007516205.tif 000008
である場合には、Ｒ２は水素、メトキシまたはハロゲンであり；Ｒ３およびＲ４は水素であり；そして、Ｒ５は水素、ハロゲン、シアノ、ＣＯＯＲ８、ＸＲ９およびＢからなる群から選ばれるか；
Ｑが式：
【化９】
2007516205.tif 000009
である場合には、Ｒ２は水素、メトキシまたはハロゲンであり；Ｒ３は水素であり；そして、Ｒ４は水素、ハロゲン、シアノ、ＣＯＯＲ８、ＸＲ９およびＢからなる群から選ばれるか；あるいは、
Ｑが、式：
【化１０】
2007516205.tif 000010
である場合には、Ｒ２およびＲ３は各々水素であり；そして、Ｒ４は水素、ハロゲン、シアノ、ＣＯＯＲ８、ＸＲ９およびＢからなる群から選ばれる、
請求項１記載の化合物。
【請求項３】
Ｂは、Ｃ(Ｏ)ＮＲ１１Ｒ１２およびヘテロアリールからなる群から選ばれ；ここで、該ヘテロアリールは独立して場合によりＦから選ばれる置換基で置換され；
ヘテロアリールは、ピリジニル、ピラジニル、ピリミジニル、チアゾリル、ピロリル、イミダゾリル、ベンゾイミダゾリル、オキサジアゾリル、テトラゾリル、およびトリアゾリルからなる群から選ばれる、
請求項２記載の化合物。
【請求項４】
Ｂはヘテロアリールであって、該ヘテロアリールは独立して場合によりＦから選ばれる置換基で置換される、請求項３記載の化合物。
【請求項５】
Ａは、式：
【化１１】
2007516205.tif 000011
（式中、Ｘｗは結合位置である）
からなる群から選ばれる、請求項３記載の化合物。
【請求項６】
Ｂはヘテロアリールであり、該ヘテロアリールは独立して場合によりＦから選ばれる置換基で置換され；そして、
ヘテロアリールは、トリアゾリル、ピリジニル、ピラジニル、およびピリミジニルからなる群から選ばれる、
請求項５記載の化合物。
【請求項７】
Ｂはヘテロアリールであり、該ヘテロアリールは独立して場合によりＦから選ばれる置換基で置換され；そして、
ヘテロアリールはトリアゾリルからなる群から選ばれる、
請求項６記載の化合物。
【請求項８】
Ｆはメチルである、請求項７記載の化合物。
【請求項９】
式Ｉの化合物またはその医薬的に許容し得る塩の抗ウイルス的に有効な量、および１個以上の医薬的に許容し得る担体、賦形剤または希釈剤を含有する、処置が必要な哺乳動物におけるＨＩＶ感染症を処置するための医薬組成物。
【請求項１０】
更に、ＡＩＤＳ抗ウイルス薬；抗感染症薬；免疫調節薬；および、ＨＩＶ侵入インヒビターからなる群から選ばれるＡＩＤＳ処置薬の抗ウイルス的に有効な量を含む、請求項９記載の医薬組成物。
【請求項１１】
式Ｉの化合物またはその医薬的に許容し得る塩の抗ウイルス的に有効な量；並びに、ＡＩＤＳ抗ウイルス薬、抗感染症薬、免疫調節薬、およびＨＩＶ侵入インヒビターからなる群から選ばれるＡＩＤＳ処置薬の抗ウイルス的に有効な量の組み合わせを含む、処置が必要な哺乳動物におけるＨＩＶ感染症を処置するための剤。
【請求項１２】
式Ｉの化合物またはその医薬的に許容し得る塩、およびＡＩＤＳ処置薬を該哺乳動物に同時にまたは連続して投与する、請求項１１記載の剤。
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
一般式Ｉ
【化１】
2007516235.tif 000001
［式中、Ｒ1は、Ｃ1-4−アルキルであり、
Ｒ2は、Ｃ1-4−アルキルであり
Ｒ3は、場合によりハロゲン、Ｃ1-4−アルキル、Ｃ1-4−アルコキシ又はトリフルオロメチルで１〜２箇所置換されたフェニル；ナフチル若しくはビフェニルであり、
Ｒ4は、水素；Ｃ1-6−アルキル又はＣ3-7−シクロアルキル−Ｃ1-4−アルキルであり、
Ｒ5は、水素であり、かつ
Ｒ6は、Ｃ1-6−アルキル；フェニル基が場合によりハロゲンで１箇所置換されたフェニル−Ｃ1-4−アルキル；フリル−Ｃ1-4−アルキル又はテトラヒドロナフチルであるか、若しくは、
Ｒ5又はＲ6は、それらが結合している窒素と一緒に、場合によりフェニルで置換されたピペラジン環を形成する］の化合物。
【請求項２】
請求項１に記載の化合物であって、Ｒ1及びＲ2が、それぞれメチルである化合物。
【請求項３】
請求項１に記載の化合物であって、Ｒ3が、場合により１箇所置換されたフェニルである化合物。
【請求項４】
請求項１に記載の化合物であって、Ｒ4が、水素、Ｃ1-6−アルキル又はシクロプロピル−Ｃ1-4−アルキルである化合物。
【請求項５】
請求項１に記載の化合物であって、Ｒ6が、フェニル−Ｃ1-4−アルキル又はテトラヒドロナフチルである化合物。
【請求項６】
請求項１に記載の化合物であって、ピラン環内において、ヒドロキシ置換基を有する炭素（Ｃ−３）がＳ配置をとり、かつ窒素含有置換基を有する炭素（Ｃ−４）がＲ配置をとる化合物。
【請求項７】
２−（４−｛［（４−エチルフェニル）スルホニル］アミノ｝−３−ヒドロキシ−２，２−ジメチル−３，４−ジヒドロ−２Ｈ−クロメン−６−イル）−Ｎ−１，２，３，４−テトラヒドロナフタレン−１−イルアセトアミド；
２−（（３Ｓ，４Ｒ）−４−｛［（４−エチルフェニル）スルホニル］アミノ｝−３−ヒドロキシ−２，２−ジメチル−３，４−ジヒドロ−２Ｈ−クロメン−６−イル）−Ｎ−［（１Ｒ）−１，２，３，４−テトラヒドロナフタレン−１−イル］アセトアミド；
Ｎ−ベンジル−２−｛４−［［（４−エチルフェニル）スルホニル］（ネオペンチル）アミノ］−３−ヒドロキシ−２，２−ジメチル−３，４−ジヒドロ−２Ｈ−クロメン−６−イル｝アセトアミド；
２−｛４−［［（４−エチルフェニル）スルホニル］（ネオペンチル）アミノ］−３−ヒドロキシ−２，２−ジメチル−３，４−ジヒドロ−２Ｈ−クロメン−６−イル｝−Ｎ−（２−フェニルエチル）アセトアミド及び
２−（４−｛［（４−メチルフェニル）スルホニル］アミノ｝−３−ヒドロキシ−２，２−ジメチル−３，４−ジヒドロ−２Ｈ−クロメン−６−イル）−Ｎ−１，２，３，４−テトラヒドロナフタレン−１−イルアセトアミドからなる群から選択された、請求項１から６までの何れか１項に記載の式Ｉの化合物。
【請求項８】
薬理学的に有効な量の請求項１に記載の式Ｉの化合物並びに慣用の製剤学的助剤及び／又は担体材料を含有する、心臓循環疾患治療用及び／又は増殖性炎、慢性炎及び自己免疫疾患治療用の医薬品。
【請求項９】
式Ｉ
【化２】
2007516235.tif 000002
［式中、Ｒ1は、Ｃ1-4−アルキルであり、
Ｒ2は、Ｃ1-4−アルキルであり、
Ｒ3は、場合によりハロゲン、Ｃ1-4−アルキル、Ｃ1-4−アルコキシ又はトリフルオロメチルで１〜２箇所置換されたフェニル；ナフチル若しくはビフェニルであり、
Ｒ4は、水素；Ｃ1-6−アルキル又はＣ3-7−シクロアルキル−Ｃ1-4−アルキルであり、
Ｒ5は、水素であり、かつ
Ｒ6は、Ｃ1-6−アルキル；フェニル基が場合によりハロゲンで１箇所置換されたフェニル−Ｃ1-4−アルキル；フリル−Ｃ1-4−アルキル又はテトラヒドロナフチルであるか、若しくは、
Ｒ5及びＲ6は、それらが結合している窒素と一緒に、場合によりフェニルで置換されたピペラジン環を形成する］の化合物の製造方法において、一般式ＩＩ
【化３】
2007516235.tif 000003
［式中、Ｒ1、Ｒ2、Ｒ4、Ｒ5及びＲ6は、前記の意味を有する］の化合物と、一般式ＩＩＩ
Ｘ−ＳＯ2−Ｒ3      ＩＩＩ
［式中、Ｒ3は、前記の意味を有し、かつＸは、分離可能な脱離基である］の化合物とを反応させることを特徴とする方法。
【請求項１０】
一般式ＩＩ
【化４】
2007516235.tif 000004
［式中、Ｒ1は、Ｃ1-4−アルキルであり、
Ｒ2は、Ｃ1-4−アルキルであり、
Ｒ4は、水素；Ｃ1-6−アルキル又はＣ3-7−シクロアルキル−Ｃ1-4−アルキルであり、
Ｒ5は、水素であり、かつ
Ｒ6は、Ｃ1-6−アルキル；フェニル基が場合によりハロゲンで１箇所置換されたフェニル−Ｃ1-4−アルキル；フリル−Ｃ1-4−アルキル又はテトラヒドロナフチルであるか、若しくは、
Ｒ5及びＲ6は、それらが結合している窒素と一緒に、場合によりフェニルで置換されたピペラジン環を形成する］の化合物。
【手続補正２】
【補正対象書類名】明細書
【補正対象項目名】００４１
【補正方法】変更
【補正の内容】
【００４１】
【表１】
2007516235.tif 000005
【手続補正３】
【補正対象書類名】明細書
【補正対象項目名】００４５
【補正方法】変更
【補正の内容】
【００４５】
【表２】
2007516235.tif 000006
【手続補正４】
【補正対象書類名】明細書
【補正対象項目名】００９７
【補正方法】変更
【補正の内容】
【００９７】
実施例６：
Ｎ−ブチル−２−｛４−［［（２，５−ジメトキシフェニル）スルホニル］（２−エチル−ブチル）アミノ］−３−ヒドロキシ−２，２−ジメチル−３，４−ジヒドロ−２Ｈ−クロメン−６−イル｝アセトアミド
【手続補正５】
【補正対象書類名】明細書
【補正対象項目名】０１０５
【補正方法】変更
【補正の内容】
【０１０５】
【表６】
2007516235.tif 000007
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
タイプＡの膠細胞腫瘍抗原を発現する細胞を含む膠細胞起源の腫瘍を有する哺乳動物の治療的処置のための医薬であって、第１の結合剤と第２の結合剤を含んでなる組成物を含有してなり、前記第１の結合剤は、タイプＡの膠細胞腫瘍抗原に結合する第１の抗体、第１のオリゴペプチド又は第１の有機分子であり、前記第２の結合剤は、タイプＢの膠細胞腫瘍抗原に結合する第２の抗体、第２のオリゴペプチド又は第２の有機分子であって、前記第１の抗体、第１のオリゴペプチド又は第１の有機分子が前記タイプＡの膠細胞腫瘍抗原に結合し、前記第２の抗体、第２のオリゴペプチド又は第２の有機分子が前記タイプＢの膠細胞腫瘍抗原に結合することにより前記哺乳動物を効果的に処置するための医薬。
【請求項２】
タイプＢの膠細胞腫瘍抗原を発現する細胞を含む膠細胞起源の腫瘍を有する哺乳動物の治療的処置のための医薬であって、第１の結合剤と第２の結合剤を含んでなる組成物を含有してなり、前記第１の結合剤は、タイプＡの膠細胞腫瘍抗原に結合する第１の抗体、第１のオリゴペプチド又は第１の有機分子であり、前記第２の結合剤は、タイプＢの膠細胞腫瘍抗原に結合する第２の抗体、第２のオリゴペプチド又は第２の有機分子であって、前記第１の抗体、第１のオリゴペプチド又は第１の有機分子が前記タイプＡの膠細胞腫瘍抗原に結合し、前記第２の抗体、第２のオリゴペプチド又は第２の有機分子が前記タイプＢの膠細胞腫瘍抗原に結合することにより前記哺乳動物を効果的に処置するための医薬。
【請求項３】
前記第１又は第２の抗体がモノクローナル抗体である、請求項１又は２に記載の医薬。
【請求項４】
前記第１又は第２の抗体が抗体断片である、請求項１又は２に記載の医薬。
【請求項５】
前記第１又は第２の抗体がキメラ抗体又はヒト化抗体である、請求項１又は２に記載の医薬。
【請求項６】
前記第１又は第２の抗体、第１又は第２のオリゴペプチド、或いは第１又は第２の有機分子が成長抑制剤と抱合する、請求項１又は２に記載の医薬。
【請求項７】
前記第１又は第２の抗体、第１又は第２のオリゴペプチド、或いは第１又は第２の有機分子が細胞障害剤に抱合する、請求項１又は２に記載の医薬。
【請求項８】
前記細胞障害剤が、毒素、抗生物質、放射性同位元素及び核溶解性酵素からなる群から選択される、請求項７に記載の医薬。
【請求項９】
細胞障害剤が毒素である、請求項７に記載の医薬。
【請求項１０】
毒素がメイタンシノイド及びカリケアマイシンからなる群から選択される、請求項９に記載の医薬。
【請求項１１】
毒素がメイタンシノイドである、請求項９に記載の医薬。
【請求項１２】
前記第１又は第２の抗体が細菌中において生成される、請求項１又は２に記載の医薬。
【請求項１３】
前記第１又は第２の抗体がＣＨＯ細胞中において生成される、請求項１又は２に記載の医薬。
【請求項１４】
さらに前記細胞を放射線治療又は化学療法剤に曝す、請求項１又は２に記載の医薬。
【請求項１５】
前記細胞の死滅を引き起こす、請求項１又は２に記載の医薬。
【請求項１６】
前記第１の結合剤及び前記第２の結合剤を連結させる、請求項１又は２に記載の医薬。
【請求項１７】
前記第１の結合剤及び前記第２の結合剤が二重特異性抗体内に含まれる、請求項１６に記載の医薬。
【請求項１８】
さらに、タイプＣの膠細胞腫瘍抗原に結合する第３の抗体、第３のオリゴペプチド又は第３の有機分子である第３の結合剤を含んでなる、請求項１又は２に記載の医薬。
【請求項１９】
哺乳動物におけるタイプＡの膠細胞腫瘍の存在を検出する方法であって、
（ａ）前記哺乳動物から、膠細胞由来の腫瘍であることが疑われる試験組織を採取して、
（ｂ）正常な成体の脳と比較して前記試験試料において少なくとも３つの異なるタイプＡの膠細胞腫瘍抗原の量の少なくとも５倍の増大を検出し、この検出から前記試験組織試料がタイプＡの膠細胞腫瘍であることが示されることを含む方法。
【請求項２０】
前記タイプＡの膠細胞腫瘍抗原の発現増大は、ｍＲＮＡの値におけるものである、請求項１９に記載の方法。
【請求項２１】
前記タイプＡの膠細胞腫瘍抗原の発現増大は、タンパク質の値におけるものである、請求項１９に記載の方法。
【請求項２２】
哺乳動物におけるタイプＢの膠細胞腫瘍の存在を検出する方法であって、
（ａ）前記哺乳動物から、膠細胞由来の腫瘍であることが疑われる試験組織を採取して、
（ｂ）正常な成体の脳と比較して前記試験試料において少なくとも３つの異なるタイプＢの膠細胞腫瘍抗原の量の少なくとも１０倍の増大を検出し、この検出から前記試験組織試料がタイプＢの膠細胞腫瘍であることが示されることを含む方法。
【請求項２３】
前記タイプＢの膠細胞腫瘍抗原の発現増大は、ｍＲＮＡの値におけるものである、請求項２２に記載の方法。
【請求項２４】
前記タイプＢの膠細胞腫瘍抗原の発現増大は、タンパク質の値におけるものである、請求項２２に記載の方法。
【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
薬剤の調製における組換えインターフェロンの利用方法であって、
前記薬剤が、重篤な急性呼吸器症候群を予防または治療することを目的とし、
前記組換えインターフェロンが、高率複合組換えインターフェロンであって、
前記高率複合組換えインターフェロンが、Ｂ型肝炎ウイルスのＤＮＡの複製及びＢ型肝炎ウイルスのＨＢｓＡｇとＨＢｅＡｇの分泌を抑制する能力を有することを特徴とする組換えインターフェロンの利用方法。
【請求項２】
薬剤の調製における組換えインターフェロンの利用方法であって、
前記薬剤が、重篤な急性呼吸器症候群を予防または治療することを目的とし、
前記組換えインターフェロンが、ＳＥＱ  ＩＤ  ＮＯ：２のアミノ酸配列を有し、
前記組換えインターフェロンが、Ｂ型肝炎ウイルスのＤＮＡの複製及びＢ型肝炎ウイルスのＨＢｓＡｇとＨＢｅＡｇの分泌を抑制する能力を有することを特徴とする組換えインターフェロンの利用方法。
【請求項３】
薬剤の調製における組換えインターフェロンの利用方法であって、
前記薬剤が、重篤な急性呼吸器症候群を予防または治療することを目的とし、
前記インターフェロンが、ＳＥＱ  ＩＤ  ＮＯ：２のアミノ酸配列を有し、ＳＥＱ  ＩＤ  ＮＯ：１の配列を有するポリヌクレオチドによってコードされており、
ＳＥＱ  ＩＤ  ＮＯ：２のアミノ酸配列を有するとともにＳＥＱ  ＩＤ  ＮＯ：１によってコードされていないインターフェロンと比較して、前記組換えインターフェロンが、異なる空間構造を有し、生物活性を向上させることを特徴とする組換えインターフェロンの利用方法。
【請求項４】
薬剤の調製における組換えインターフェロンの利用方法であって、
前記薬剤が、重篤な急性呼吸器症候群を予防または治療することを目的とし、
前記インターフェロンが、組換えインターフェロンをコードするＳＥＱ  ＩＤ  ＮＯ：１から構成されるポリヌクレオチドを適当な宿主細胞に導入する段階と、
ポリヌクレオチドの発現のために、適当な条件で宿主細胞を培養する段階と、
組換えインターフェロンを収集する段階とから構成される方法によって調製され、
前記組換えインターフェロンが、ＳＥＱ  ＩＤ  ＮＯ：２のアミノ酸配列を有し、
ＳＥＱ  ＩＤ  ＮＯ：２のアミノ酸配列を有するとともにＳＥＱ  ＩＤ  ＮＯ：１によってコードされていないインターフェロンと比較して、前記組換えインターフェロンが、異なる空間構造を有し、生物活性を向上させることを特徴とする組換えインターフェロンの利用方法。
【請求項５】
前記インターフェロンが、経口、静脈注射、筋肉注射、腹腔注射、皮下注射、鼻腔又は粘膜への投与、又は吸入器で吸入することにより投与されることを特徴とする請求項１乃至４いずれかに記載の組換えインターフェロンの利用方法。
【請求項６】
前記インターフェロンが、スプレーの装置により投与されることを特徴とする請求項１乃至４いずれかに記載の組換えインターフェロンの利用方法。
【請求項７】
有効量の組換えインターフェロンから構成される組成物であって、
前記組換えインターフェロンが、重篤な急性呼吸器症候群のウイルス又は重篤な急性呼吸器症候群のウイルスに感染された細胞を抑制する能力を有し、
前記組換えインターフェロンが、ＳＥＱ  ＩＤ  ＮＯ：２のアミノ酸配列を有し、Ｂ型肝炎ウイルスのＤＮＡの複製及びＢ型肝炎ウイルスのＨＢｓＡｇとＨＢｅＡｇの分泌を抑制する能力を有することを特徴とする組成物。
【請求項８】
有効量の組換えインターフェロンから構成される組成物であって、
前記組換えインターフェロンが、重篤な急性呼吸器症候群のウイルス又は重篤な急性呼吸器症候群のウイルスに感染された細胞を抑制する能力を有し、
前記組換えインターフェロンが、ＳＥＱ  ＩＤ  ＮＯ：２のアミノ酸配列から構成され、ＳＥＱ  ＩＤ  ＮＯ：１の配列を有するポリヌクレオチドによってコードされており、
ＳＥＱ  ＩＤ  ＮＯ：２のアミノ酸配列を有するとともにＳＥＱ  ＩＤ  ＮＯ：１によってコードされていないインターフェロンと比較して、前記組換えインターフェロンが、異なる空間構造を有し、生物活性を向上させることを特徴とする組成物。
【請求項９】
有効量の組換えインターフェロンから構成される組成物であって、
前記組換えインターフェロンが、重篤な急性呼吸器症候群のウイルスまたは重篤な急性呼吸器症候群ウイルスに感染される細胞を抑制する能力を有し、
前記インターフェロンが、組換えインターフェロンをコードするＳＥＱ  ＩＤ  ＮＯ：１から構成されるポリヌクレオチドを、適切な宿主細胞に導入する段階と、
ポリヌクレオチドを発現させるために適当な条件で宿主細胞を培養する段階と、
組換えインターフェロンを収集する段階とから構成される方法によって調製され、
前記組換えインターフェロンが、ＳＥＱ  ＩＤ  ＮＯ：２のアミノ酸配列を有し、
ＳＥＱ  ＩＤ  ＮＯ：２のアミノ酸配列を有するとともにＳＥＱ  ＩＤ  ＮＯ：１によってコードされていないインターフェロンと比較して、前記組換えインターフェロンが、異なる空間構造を有し、生物活性を向上させることを特徴とする組成物。
【請求項１０】
前記ポリヌクレオチドがＳＥＱ  ＩＤ  ＮＯ：１から構成され、アラビノース誘導／活性化機構により発現することを特徴とする請求項９記載の組成物。
【請求項１１】
重篤な急性呼吸器症候群のウイルス又は重篤な急性呼吸器症候群のウイルスに感染される細胞の抑制方法であって、
前記ウイルス又は細胞が、有効量の組換え高率複合インターフェロン、または機能がそれと均等な物に接触することから構成され、
前記組換え高率複合インターフェロンが、Ｂ型肝炎ウイルスのＤＮＡの複製及びＢ型肝炎ウイルスのＨＢｓＡｇとＨＢｅＡｇの分泌を抑制する能力を有することを特徴とする抑制方法。
【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
一つの第一の結合アームと一つの第二の結合アームとを少なくとも含んでなるヘテロ接合体であって、
前記第一の結合アームが、前記第二の結合アームと異なる結合特異性を有し、
前記ヘテロ接合体と罹患細胞が接触したときに、前記ヘテロ接合体が前記細胞の増殖を阻害しかつアポトーシスを誘発することを特徴とする、ヘテロ接合体。
【請求項２】
前記第一および第二の結合アームが、互いに接合されていない状態では、アポトーシス活性を有しないものである、請求項1に記載のヘテロ接合体。
【請求項３】
前記結合アームの少なくとも一つが、抗体またはそのフラグメントである、請求項1に記載のヘテロ接合体。
【請求項４】
前記ヘテロ接合体が、前記第一および前記第二の結合アームを含んでなる融合タンパク質を含んでなるものである、請求項1に記載のヘテロ接合体。
【請求項５】
前記第一および前記第二の結合アームが、化学結合を介して接合している、請求項1に記載のヘテロ接合体。
【請求項６】
前記ヘテロ接合体が互いに架橋することなく用量依存的にアポトーシスを誘発する、請求項1に記載のヘテロ接合体。
【請求項７】
前記第一の結合アームが、CD2、CD3、CD8、CD10、CD21、CD23、CD24、CD25、CD30、CD33、CD37、CD38、CD40、CD48、CD52、CD55、CD59、CD70、CD74、CD80、CD86、CD138、CD147、HLA-DR、CEA、CSAp、CA-125、TAG-72、EFGR、HER2、HER3、HER4、IGF-1R、c-Met、PDGFR、MUC1、MUC2、MUC3、MUC4、TNFR1、TNFR2、NGFR、Fas (CD95)、DR3、DR4、DR5、DR6、VEGF、PIGF、ED-Bフィブロネクチン、テネイシン、PSMA、PSA、カルボニックアンヒドラーゼIXおよびIL-6 をターゲットとする結合アームからなる群から選択されるものである、請求項1に記載のヘテロ接合体。
【請求項８】
前記第一の結合アームが、リンパ腫または固形腫瘍と関連したヒト腫瘍ターゲットに特異的に結合する、請求項1に記載のヘテロ接合体。
【請求項９】
前記第二の結合アームが、CD2、CD3、CD8、CD10、CD21、CD23、CD24、CD25、CD30、CD33、CD37、CD38、CD40、CD45Ro、CD48、CD52、CD55、CD59、CD70、CD74、CD80、CD86、CD138、CD147、HLA-DR、CEA、CSAp、CA-125、TAG-72、EFGR、HER2、HER3、HER4、IGF-1R、c-Met、PDGFR、MUC1、MUC2、MUC3、MUC4、TNFR1、TNFR2、NGFR、Fas (CD95)、DR3、DR4、DR5、DR6、VEGF、PIGF、ED-Bフィブロネクチン、テネイシン、PSMA、PSA、カルボニックアンヒドラーゼIXおよびIL-6をターゲットとする抗体からなる群から選択されるものである、請求項1に記載のヘテロ接合体。
【請求項１０】
前記第一の結合アームが抗CD74モノクローナル抗体である、請求項1に記載のヘテロ接合体。
【請求項１１】
前記第二の結合アームが抗CD20または抗CD22モノクローナル抗体である、請求項10に記載のヘテロ接合体。
【請求項１２】
3つ以上の抗原に結合する多重特異性ヘテロ接合体である、請求項1に記載のヘテロ接合体。
【請求項１３】
前記結合アームが、ヒト、ネズミ、キメラ、霊長類化、またはヒト化抗体またはフラグメントである、請求項1に記載のヘテロ接合体。
【請求項１４】
IgG x Fab'、IgG x sFv、F(ab')2 x Fab'、Fab' x Fab'、Fab' x sFv、(sFv x sFv)2、sFv x sFv、ダイアボディー(diabody)、トリアボディー(triabody)、テトラボディー(tetrabody)およびクィンタボディーからなる群から選択される構造を有するものである、請求項1に記載のヘテロ接合体。
【請求項１５】
二重特異性抗体、または3つ以上の特異結合タンパク質を有する多重特異性抗体からなる、請求項1に記載のヘテロ接合体。
【請求項１６】
前記二重特異性抗体が、二価のFab' x Fab'構造を有するものである、請求項15に記載のヘテロ接合体。
【請求項１７】
前記結合アームが、ヒト化抗CD74モノクローナル抗体およびヒト化抗CD20モノクローナル抗体を含んでなる、請求項1に記載のヘテロ接合体。
【請求項１８】
前記結合アームが、ヒト化抗CD74モノクローナル抗体およびヒト化抗CD22モノクローナル抗体を含んでなる、請求項1に記載のヘテロ接合体。
【請求項１９】
前記結合アームが、抗CD20モノクローナル抗体および抗CD80モノクローナル抗体を含んでなる、請求項1に記載のヘテロ接合体。
【請求項２０】
前記結合アームが、抗CD20モノクローナル抗体および抗HLA-DRモノクローナル抗体または抗CD14抗体を含んでなる、請求項1に記載のヘテロ接合体。
【請求項２１】
前記結合アームが、抗CD2モノクローナル抗体および抗CD25モノクローナル抗体を含んでなる、請求項1に記載のヘテロ接合体。
【請求項２２】
前記結合アームが、抗CD8モノクローナル抗体および抗CD25モノクローナル抗体を含んでなる、請求項1に記載のヘテロ接合体。
【請求項２３】
前記結合アームが、抗CD2モノクローナル抗体および抗CD147モノクローナル抗体を含んでなる、請求項1に記載のヘテロ接合体。
【請求項２４】
キレート剤、化学療法薬、酵素、ホルモン、免疫調節剤、オリゴヌクレオチド、放射性核種、ホウ素化合物、光活性剤および毒素からなる群から選択される少なくとも一つの化合物をさらに含んでなる、請求項1に記載のヘテロ接合体。
【請求項２５】
前記化合物が、DTPA、DOTA、TETA、NOTA、および検出可能な標識または細胞傷害剤に接合しうる適当なペプチドからなる群から選択されるキレート剤である、請求項２４に記載のヘテロ接合体。
【請求項２６】
前記化合物が、アントラサイクリン、タキサン、ナイトロジェンマスタード、エチレンイミン誘導体、アルキルスルホン酸塩、ニトロソ尿素、トリアゼン、葉酸類似体、ピリミジン類似体、プリン類似体、アンチセンスオリゴヌクレオチド、転写因子の拮抗物質または阻害剤、アルカロイド、抗生物質、酵素、白金配位錯体、COX-2阻害剤、アポトーシス剤、サリドマイドおよびその誘導体、置換尿素、メチルヒドラジン誘導体、副腎皮質抑制剤または拮抗薬からなる群から選択される化学療法薬である、請求項２４に記載のヘテロ接合体。
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
G1ロタウイルス血清型並びにG2、G3、G4及びG9血清型より成る群から選択される少なくとも2種の非G1ロタウイルス血清型によるロタウイルス感染に対する免疫応答を誘導するための組成物の製造における、G1血清型由来の弱毒化ロタウイルス株の使用。
【請求項２】
上記組成物が少なくとも3種の他のロタウイルス株によるロタウイルス感染に対する免疫応答を誘導することが可能である、請求項１記載の使用。
【請求項３】
上記組成物がG1血清型並びにG2、G3、G4及びG9血清型に対する免疫応答を誘導することが可能である、請求項１又は２記載の使用。
【請求項４】
上記弱毒化ロタウイルス株が単一のロタウイルス変異体又は実質的に単一のロタウイルス変異体であり、該変異体がVP4及びVP7、好ましくはVP7と称する主要なウイルスタンパク質の少なくとも１つをコードするヌクレオチド配列によって定義される、請求項１〜３のいずれか１項記載の使用。
【請求項５】
上記組成物がヌクレオチド配列中に、開始コドンから、788位の位置のアデニン塩基（A）、802位の位置のアデニン塩基（A）及び501位の位置のチミン塩基（T）の少なくとも1つを含むVP4遺伝子を有するロタウイルスを含む、請求項１〜４のいずれか１項記載の使用。
【請求項６】
上記VP4遺伝子が、開始コドンから、788位と802位の位置のアデニン塩基（A）、及び501位の位置のチミン塩基（T）を含むヌクレオチド配列を含む、請求項５記載の使用。
【請求項７】
上記組成物がヌクレオチド配列中に、開始コドンから、605位の位置のチミン（T）、897位の位置のアデニン（A）、及び897位の位置のグアニン（G）の少なくとも1つを含むVP7遺伝子を有するロタウイルスを含む、請求項１〜４のいずれか１項記載の使用。
【請求項８】
上記VP7遺伝子が、開始コドンから、605位の位置のチミン（T）、及び897位の位置のアデニン（A）又はグアニン（G）を含むヌクレオチド配列を含む、請求項７記載の使用。
【請求項９】
上記組成物が、ヌクレオチド配列中に、開始コドンから、788位と802位の位置のアデニン（A）及び501位の位置のチミン（T）を含むVP4遺伝子を有し、且つVP7遺伝子が、ヌクレオチド配列中に、開始コドンから、605位の位置のチミン（T）と897位の位置のアデニン（A）とを含むロタウイルスを含む、請求項６又は８記載の使用。
【請求項１０】
上記組成物が、ワクチン接種した個体の集団において、少なくとも2種の非G1血清型のロタウイルスの感染によって生じる下痢及び/又は胃腸炎及び/又は重篤な胃腸炎に対して少なくとも50％保護的である、請求項１〜９のいずれか１項記載の使用。
【請求項１１】
上記組成物が、ワクチン接種した個体の集団において、少なくとも2種の非G1血清型のロタウイルスの感染によって生じる下痢に対して最大60％保護的である、請求項１〜９のいずれか１項記載の使用。
【請求項１２】
上記組成物が、少なくとも2種の非G1血清型のロタウイルスの感染によって生じる胃腸炎に対して最大81％保護的である、請求項１〜９のいずれか１項記載の使用。
【請求項１３】
上記組成物が、ワクチン接種した個体の集団において、G2、G3、G4及びG9より成る群から選択される少なくとも2種の非G1血清型のロタウイルスの感染によって生じる重篤な胃腸炎に対して最大83％保護的である、請求項１〜９のいずれか１項記載の使用。
【請求項１４】
上記胃腸炎が、G2、G3、G4及びG9より成る群から選択される少なくとも3種の非G1血清型のロタウイルスの感染によって生じる、請求項10、12及び13のいずれか１項記載の使用。
【請求項１５】
上記胃腸炎がG2、G3、G4及びG9血清型の感染によって生じる、請求項１４記載の使用。
【請求項１６】
上記ロタウイルス株がECACC寄託99081301であるか、又はECACC寄託99081301から取得可能又は誘導可能である、請求項１〜１５のいずれか１項記載の使用。
【請求項１７】
上記組成物を2回投与方式で投与する、請求項１〜１６のいずれか１項記載の使用。
【請求項１８】
上記弱毒化ロタウイルス株が、適切な製薬担体もしくは制酸緩衝液又はその両方と共に製剤化される、請求項１〜１７のいずれか１項記載の使用。
【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
ａ）複数の光透過性フィルター、
ｂ）対応する複数の個別にアドレス可能な電極を規定する第１電極層、
ｃ）白色発光ＯＬＥＤ材料の第１層、
ｄ）ドープ有機導体層、
ｅ）白色発光ＯＬＥＤ材料の第２層、および
ｆ）複数のカラーフィルターと同延の単一電極を規定する第２電極層、
を含む画素を有するＯＬＥＤ素子。
【請求項２】
フィルターが赤、緑および青色光透過性フィルターを含む、請求項１に記載のＯＬＥＤ素子。
【請求項３】
フィルターが白色光透過性フィルターを含む、請求項１に記載のＯＬＥＤ素子。
【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
内部を有する第１の光導波路と、
前記第１の光導波路の内部に光を供給するために前記第１の光導波路の端部に光学的に接続された少なくとも１つの光源と、
内部を有する第２の光導波路と、
前記第２の光導波路の内部に光を供給するために前記第２の光導波路の端部に光学的に接続された少なくとも１つの光源と、
前記第２の光導波路の前記内部からの光の拡散抽出のために前記第２の光導波路の表面に配置された抽出器と、
を備え、前記第２の光導波路の前記内部に供給され、そこから拡散抽出される光の少なくとも一部は、実質的に光学的に透明な表面を通って前記第１の光導波路の前記内部に入射する、バックライトシステム。
【請求項２】
内部を有する第１の光導波路と、
前記第１の光導波路の内部に光を供給するために前記第１の光導波路の端部に光学的に接続された少なくとも１つの光源と、
内部を有する第２の光導波路と、
前記第２の光導波路の内部に光を供給するために前記第２の光導波路の端部に光学的に接続された少なくとも１つの光源と、
前記第１の光導波路と前記第２の光導波路との間に配置された再利用上昇構造と、
を備える、バックライトシステム。
【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
金属ソース電極と、金属ドレイン電極と、金属ゲート電極と、堆積させた半導体材料内のチャネルとを有するトランジスタデバイスであって、
前記金属ゲート電極、前記金属ソース電極の第１の金属部分、および前記金属ドレイン電極の第１の金属部分を含む第１の層と、
前記金属ソース電極の第２の金属部分、前記金属ドレイン電極の第２の金属部分、前記堆積させた半導体材料、および該半導体材料と前記金属ゲート電極との間の誘電体材料を含む第２の層と、
基板を含む第３の層とを含み、
前記第１の層、前記第２の層および前記第３の層が、前記第２の層が前記第１の層と前記第３の層との間に配置されるような順序で構成されている、トランジスタデバイス。
【請求項２】
前記金属ソース電極、前記金属ドレイン電極および前記金属ゲート電極が、電気堆積させた金属を含む、請求項１に記載のトランジスタデバイス。
【請求項３】
前記第１の層、前記第２の層および前記第３の層がそれぞれ、実質的に均一な厚みを有している、請求項１または２に記載のトランジスタデバイス。
【請求項４】
前記第３の層が、不動態化基板を前記トランジスタデバイスに接合させる接着剤を含む、請求項１から３のいずれか１項に記載のトランジスタデバイス。
【請求項５】
前記第１の層が、前記ソース電極、前記ドレイン電極および前記ゲート電極の実質的に平坦な部分を含む、実質的に平坦な表面を有している、請求項１から４のいずれか１項に記載のトランジスタデバイス。
【請求項６】
前記堆積させた半導体材料が有機半導体材料を含む、請求項１から５のいずれか１項に記載のトランジスタデバイス。
【請求項７】
前記堆積させた半導体材料が、該半導体材料が液体から堆積さたという指示を含む、請求項１から６のいずれか１項に記載のトランジスタデバイス。
【請求項８】
前記半導体材料が前記デバイス内に埋め込まれており、かつ当該半導体材料に前記ゲート電極が重ねられている、請求項１から７のいずれか１項に記載のトランジスタデバイス。
【請求項９】
前記第１の層が、前記ゲート電極を前記ソース電極および前記ドレイン電極から分離する絶縁性材料を含む、請求項１から８のいずれか１項に記載のトランジスタデバイス。
【請求項１０】
前記絶縁性材料が光によってパターニング可能である、請求項９に記載のトランジスタデバイス。
【請求項１１】
前記基板が可撓性である、請求項１から１０のいずれか１項に記載のトランジスタデバイス。
【請求項１２】
請求項１から１１のいずれか１項に記載の複数のトランジスタデバイスを含むディスプレイデバイスのための基板。
【請求項１３】
トランジスタデバイスの形成に用いるための方法であって、
（ｉ）導電性支持体上に転写層を形成し、
（ｉｉ）前記転写層を基板に固定し、
（ｉｉｉ）前記導電性支持体を除去する方法であって、前記転写層が、ステップ（ｉ）で、
ａ）前記導電性支持体を選択的にマスクし、これにより、前記導電性支持体の第１の部分、第２の部分および第３の部分を露出させ、
ｂ）前記導電性支持体の前記第１の部分、前記第２の部分および前記第３の部分上に金属を電気堆積し、これにより、第１の金属部分、第２の金属部分および第３の金属部分を形成し、
ｃ）少なくとも前記第２の金属部分上に誘電体材料を堆積し、
ｄ）前記第１の金属部分および前記第３の金属部分上に金属を電気堆積し、
ｅ）前記誘電体層上に半導体材料を堆積することによって形成される、方法。
【請求項１４】
前記導電性支持体を選択的にマスクするステップが、前記導電性支持体の一部上に絶縁性材料を選択的に形成すること、および前記トランジスタデバイス内に前記絶縁性材料を保持することを含む、請求項１３に記載のトランジスタデバイスを形成する際に用いるための方法。
【請求項１５】
前記転写層が前記デバイスの端部層となる、請求項１３または１４に記載の方法。
【請求項１６】
前記転写層を基板部分に固定するステップによって、半導体材料が前記デバイス内に埋め込まれる、請求項１３から１５のいずれか１項に記載の方法。
【請求項１７】
前記ステップｅ）において堆積させる前記半導体材料を、前記ステップｄ）において堆積させた前記金属間に選択的に堆積させる、請求項１３から１６のいずれか１項に記載の方法。
【請求項１８】
前記ステップｅ）が前記ステップｄ）に先行する、請求項１３から１６のいずれか１項に記載の方法。
【請求項１９】
前記ステップａ）の前に前記導電性支持体を不動態化するステップをさらに含む、請求項１３から１８のいずれか１項に記載の方法。
【請求項２０】
前記導電性支持体が実質的に均一な厚みを有する、請求項１３から１９のいずれか１項に記載の方法。
【請求項２１】
前記転写層を前記基板に固定するステップが、前記基板に硬化可能な接着剤を塗布すること、前記接着層および前記転写層を接触させること、および前記接着剤を硬化させることを含む、請求項１３から２０のいずれか１項に記載の方法。
【請求項２２】
請求項１３から２１のいずれか１項に記載の方法を用いて形成される半導体デバイス。
【請求項２３】
前記金属ソース電極、前記金属ゲート電極および前記金属ドレイン電極がもっぱら、電気堆積させた材料からなり、前記金属ゲート電極は前記誘電体材料と接触している、請求項１から１１のいずれか１項に記載のトランジスタデバイス。